(57)【要約】【課題】有効的にインバータモジュールの駆動回路において対応できると同時に、多数の電灯管の駆動に応用できる多数組の出力を具有するインバータトランスを提供する。【解決手段】主に一組の第一ボビン３と、四組の第二ボビン４と、コアセット５とにより構成する。前記第一ボビン３には第一貫通孔３１を形成し、さらに第一巻回空間３２を設け、そこに一次側巻線を巻き、さらに第一ボビン３両側にそれぞれ入力端子３３を設ける。前記第二ボビン４には第二貫通孔４１を形成し、第二貫通孔４１を中心として複数の第二巻回空間４２を設け、そこに二次側巻線を巻き、第二ボビン４底部片側に出力端子４３を設ける。コアセット５の第二ボビン４が設置される場所にはそれぞれ凸出部５４を形成し、第二ボビンの相互間の磁気障害を減少させる。第二ボビン４の頂面には係止縁部４４を設け、コアセットとの定位効果を高める。【選択図】図４
2005216986.tif 000002
【特許請求の範囲】
【請求項１】
第一ボビンと、第二ボビンと、コアセットとにより構成されており、
前記第一ボビンは、垂直方向に第一貫通孔が形成されており、さらに水平方向の側縁周囲に第一巻回空間が設けられており、
前記第二ボビンは、垂直方向に第二貫通孔が形成されており、さらに第二貫通孔を中心として側縁に沿って水平方向周囲に複数の第二巻回空間が設けられており、
前記コアセットは、中心に第一貫通部が形成されており、第一ボビンの第一貫通孔内に貫通しており、さらに第一貫通部の側面には相対するように複数の第二貫通部が形成されており、それぞれの第二ボビンの第二貫通孔に貫通しており、
それらにより、第一ボビンと第二ボビン間にそれぞれ分かれて独立した巻回空間を形成しており、一組の入力巻線が多数組の出力に対応して構成されるトランスであることを特徴とする多数組の出力を具有するインバータトランス。
【請求項２】
前記第二ボビンの頂面には係止縁部が設けられており、前記係止縁部により第二ボビンは前記コアセットの側縁に係止されていることを特徴とする請求項１に記載の多数組の出力を具有するインバータトランス。
【請求項３】
前記コアセットの比較的側縁における第二ボビンが設置される場所には、それぞれ凸出部が形成されていることを特徴とする請求項１に記載の多数組の出力を具有するインバータトランス。
【発明の詳細な説明】
【技術分野】
【０００１】
本発明は一種のトランスの構造に係り、特にインバータモジュールにおいて多数組の出力変換が必要なトランスに応用されるトランスの構造に関わる。
【背景技術】
【０００２】
一般のＬＣＤパネルは放電灯管、例えば、冷陰極蛍光灯を前記パネルのバックライトの光源としており、これらの放電灯管はインバータ回路を通じて駆動させており、さらに高電圧出力の需要に合わせるために、通常、全てインバータトランスを採用し、駆動させている。
【０００３】
従来のインバータトランスは特許文献１等に開示されており、その１例を、図１，２は示して説明するが、それぞれ従来公知の構造によるインバータトランスの分解上面図、および分解側面図であり、前記公知構造によるトランスは主にボビン１と、第一コア１４と、第二コア１５とによって構成されており、側縁には複数の仕切板１１が設けられており、さらに一次側巻線区間１３と二次側巻線区間１２が形成されており、それぞれ電源と負荷に接続されており、理想的な負荷の使用状態に基づいて、一つの二次側巻線セットが一つの放電灯管に対応しているが、前記ＬＣＤパネルのサイズは日増しに大きくなっており、実際はコスト削減のために、一つの二次側巻線セットに多数の放電灯管が対応しており、しかしながらそれぞれの放電灯管の抵抗特性の違いによる制限を受け、すなわち、並列出力電流により、分流効果が現れ、冷陰極蛍光灯の明るさが不均衡になる現象が発生してしまい、市場の需要に伴い、ＬＣＤパネルの使用は、サイズと共に増えており、バックライトとして使われる放電灯管の数量も増加しており、ゆえに前記インバータに使用されるトランスは、多数の灯管と高電圧駆動の負荷に十分足りなければならず、同時に設計上においても、小さく、薄い製品に合うように、体積についても考える必要がある。
【０００４】
前記二次側巻線区間１２の巻線方式は、仕切板１１の間の巻回空間を利用した分圧方式であり、使用電圧の高低により使用する仕切板の数量を決定し、製品の信頼度を高めるが、大きなサイズのＬＣＤパネルや後々の電気特性の需要に対応するために、前記インバータは更に大きな電圧に耐える必要があり、そのため仕切板１１の数量を増やす他はなく、図２のＢ，Ｃに示すように、比較的大きな電圧を受ける仕切板１１の場所において、絶縁の厚さが増すために巻線区間が少なくなり、巻線区間を倍数的に増やさなければ要求を満たすことができないが、理論上は可能である。
【０００５】
しかし、一般にボビン１はＬＣＰ材質によって構成されており、直接熱した材質を流し込み、さらに急速に冷却し成形するために、製造の過程において、仮に長さが非常に長い場合、冷却し、成形し、乾燥させる過程において、容易に湾曲したり、変形したりし、製品の信頼度は極端に落ちてしまう。
【０００６】
その他、一次側と二次側の、コアの沿面と空間に対する距離もまた製品の信頼度に影響する要素となっており、公知の技術においては、一次側と二次側は同一のボビン１上に設計されており、一旦使用電圧を高くすれば、この距離は必ずそれに従い大きくしなければならないが、ボビン１は直接射出成形によるものなので、融通性を持って変更することができず、異なる電気規格に対して異なる設計の金型を使用する必要があり、金型の数量が増え、製品の生産量が減り、コストが高くなってしまう。
【０００７】
以上のように上述の従来公知のインバータトランスの構造には、実務上数々の欠点があり、早急に改良が必要であった。
【特許文献１】特開２００２−０４３１４８号公報
【発明の開示】
【発明が解決しようとする課題】
【０００８】
前記公知構造の欠点を解決するために、本発明は有効的にインバータモジュールの駆動回路において対応できると同時に、高電圧駆動の負荷に十分に耐え、多数の電灯管の駆動に応用でき、装置も小さく薄することが可能な多数組の出力を具有するインバータトランスを提供することを課題とする。
【課題を解決するための手段】
【０００９】
前記課題を解決するために、請求項１の発明は、第一ボビンと、第二ボビンと、コアセットとにより構成されており、前記第一ボビンは、垂直方向に第一貫通孔が形成されており、さらに水平方向の側縁周囲に第一巻回空間が設けられており、前記第二ボビンは、垂直方向に第二貫通孔が形成されており、さらに第二貫通孔を中心として側縁に沿って水平方向周囲に複数の第二巻回空間が設けられており、前記コアセットは、中心に第一貫通部が形成されており、第一ボビンの第一貫通孔内に貫通しており、さらに第一貫通部の側面には相対するように複数の第二貫通部が形成されており、それぞれの第二ボビンの第二貫通孔に貫通しており、それらにより、第一ボビンと第二ボビンとの間に一組の入力巻線が多数組の出力巻線に対応する回路を形成し、前記一次側巻線セットと二次側巻線セットはそれぞれ独立した多数組の出力に対応して構成されるインバータトランスである。
そして、沿面、および空間の距離は実際の需要に応じて自由に配置する事ができ、使用上更に融通性を持つものである。
【００１０】
請求項２の発明は、請求項１の発明において、前記第二ボビンの頂面には係止縁部が設けられており、前記係止縁部により第二ボビンは前記コアセットの側縁に係止された多数組の出力に対応して構成されるインバータトランスであり、前記係止縁部により第二ボビンは前記コアセットの側縁に係止されており、前記次巻線とコア間の定位効果を高めている。
【００１１】
請求項３の発明は、請求項１の発明において、前記コアセットの比較的側縁における第二ボビンが設置される場所には、それぞれ凸出部が形成された多数組の出力を具有するインバータトランスであり、第二ボビン間に距離を形成しており、相互間の磁力障害を減少させ、磁場効果を増加させている。
【発明の効果】
【００１２】
二次側巻線が形成される第二ボビンには垂直方向に複数の第二巻回空間が設けられており、有効的に公知構造の射出成形によっても、多数の灯管と高電圧駆動の負荷に十分に耐え、装置も小さく薄することが可能となり、水平方向へ長くなりすぎて変形する現象を改善でき、ゆえに、分圧効果と製品の信頼度を高める効果とを兼ね備える。
【００１３】
前記一次側巻線セットと二次側巻線セットはそれぞれ独立しており、ゆえに沿面と空間の距離は実際の需要にあわせて自由に配置することができ、使用上更に融通性を持つことができる。
【００１４】
前記一次側巻線セットと二次側巻線セットは同時に量産することができ、さらに需要に応じて必要な二次側の数量を調整することができ、実際の需要に対応することができ、有効的に在庫を減らすことができる。
【発明を実施するための最良の形態】
【００１５】
本発明の好適的なインバータトランスの実施例を図面を参照して説明する。
【実施例１】
【００１６】
本発明の第１の実施例は、図４，５に示すように、多数組の出力を具有するインバータトランス本体２であって、、主に一組の第一ボビン３と、四組の第二ボビン４と、コアセット５とにより構成されており、前記第一ボビン３は、垂直方向に第一貫通孔３１を形成しており、さらに水平方向の側縁周囲には第一ボビン３の鍔部の間の第一巻回空間３２（図７を参照）が設けられており、前記巻回空間３２には一次側巻線（図なし）が巻かれており、さらに、第一貫通孔３１の水平方向の第一ボビン３両側にはそれぞれ入力端子３３が設けられている。
【００１７】
前記第二ボビン４は、垂直方向に第二貫通孔４１が形成されており、第二貫通孔４１を中心として側縁に沿って水平方向周囲に複数の第二巻回空間４２が設けられており、前記第二巻回空間４２間には二次側巻線（図なし）が巻かれており、第二貫通孔４１の水平方向の第二ボビン４底部片側には出力端子４３が設けられている。
コアセット５は、第一コア５１と第二コア５２とから構成されており、前記第一コア５１と第二コア５２の中心には相対するように第一貫通部５３が形成されており、それにより、第一ボビン３の第一貫通孔３１内に貫通しており、さらに前記第一コア５１と第二コア５２の第一貫通部５３の側面には相対するように第二貫通部５５が形成されており、それにより、第二ボビン４の第二貫通孔４１内に貫通しており、前記第一コア５１と第二コア５２は第一ボビン３と第二ボビン４を間にして重ねあわせることができ、一組の第一ボビン３の入力端子３３が多数組の第二ボビン４の出力端子４３に対応する電磁誘導によるトランスを形成する。
【００１８】
前記構造により、第一ボビン３の第一巻回空間３２に一次側の巻線を形成し、それを入力側とし、さらに実際に使用される出力側の数量によって、その数量の第二ボビン４の第二巻回空間４２に第二側巻線を形成し、相互間の沿面と空間の距離を実際の需要に応じて自由に配置することができ、使用上更に融通性を持ち、さらに前記二次側巻線が形成されている第二ボビン４には垂直方向に第二ボビン４の複数の鍔部の間の第二巻回空間４２（図６に示す）が設けられており、それにより、同じ水平方向の平面面積において、さらに多くの二次側巻線を形成することができ、有効的に公知構造の射出成形による、水平方向へ長くなりすぎて変形する現象を改善できる。
【実施例２】
【００１９】
さらに、図９，１０は本発明のもう１つの好適なインバータトランスの実施例を示すものであり、前記第一ボビン３、四組の第二ボビン４、およびコアセット５を含む以外に、第一コア５１と第二コア５２の側縁におけるそれぞれの第二ボビン４が設置される場所にはそれぞれ凸出部５４が形成されており、それぞれの第二ボビン４間には距離が形成されており、相互間の磁力障害を減少させており、第一実施例における図８と第二実施例における図１１を比較すると分かるが、図１１における磁力線の分布のほうが更に集中しており、このように本発明はさらに優れた磁場効果を具有する。
【００２０】
さらに、前記実施例において、第二ボビン４の頂面には係止縁部４４（図４，５，９，１０を参照）が設けられており、前記係止縁部４４により、第二ボビン４は前記コアセット５の側縁、即ち凸出部５４側縁に係止されており、前記第二ボビン４と第一コア５１と第二コア５２との定位効果を高めている。
【００２１】
本発明の各実施例は、多数組の出力を具有するインバータトランスを提供するものであるが、一組の入力の一次側が多数組の出力の二次側に対応しており、冷陰極蛍光灯の出力の数量に対応させて配置するのにさらなる融通性を備え、さらに第二ボビンの垂直方向に設けられた複数の第二巻回空間により、分圧効果と製品の信頼度を高める効果の両方を兼ね備え、
二次側巻線が形成される第二ボビンには垂直方向に複数の第二巻回空間が設けられており、有効的に公知構造の射出成形によっても、多数の灯管と高電圧駆動の負荷に十分に耐え、装置も小さく薄することが可能となり、水平方向へ長くなりすぎて変形する現象を改善でき、ゆえに、分圧効果と製品の信頼度を高める効果とを兼ね備え、前記一次側巻線セットと二次側巻線セットはそれぞれ独立しており、ゆえに沿面と空間の距離は実際の需要にあわせて自由に配置することができ、使用上更に融通性を持つことができる。
【００２２】
上記の詳細な説明は、本発明の好適な実施例を示すものであり、本発明の特徴を損なうものでなければ、前記各実施例に限定されるものでないことは勿論である。
【図面の簡単な説明】
【００２３】
【図１】公知構造によるトランスの分解上面図である。
【図２】公知構造によるトランスの分解側面図である。
【図３】公知構造によるトランスの組立側面図である。
【図４】本発明による比較的好適な実施例１を示す分解図である。
【図５】本発明の実施例１における組立後の平面図である。
【図６】本発明の実施例１における第二ボビンを示す図である。
【図７】本発明の実施例１における第一ボビンを示す図である。
【図８】本発明の実施例１における磁場の分布を示す図である。
【図９】本発明によるもう一つの好適な実施例２を示す分解図である。
【図１０】本発明の実施例２における組立後の平面図である。
【図１１】本発明の実施例２における磁場の分布を示す図である。
【符号の説明】
【００２４】
１    公知構造によるボビン
１１  仕切板
１２  二次側巻線区間
１３  一次側巻線区間
１４  第一コア
１５  第二コア
２    トランス本体
３    第一ボビン
３１  第一貫通孔
３２  第一巻回空間
３３  入力端子
４    第二ボビン
４１  第二貫通孔
４２  第二巻回空間
４３  出力端子
４４  係止縁部
５    コアセット
５１  第一コア
５２  第二コア
５３  第一貫通部
５４  凸出部
５５  第二貫通部
【図１】
2005216986.tif 000003
【図２】
2005216986.tif 000004
【図３】
2005216986.tif 000005
【図４】
2005216986.tif 000006
【図５】
2005216986.tif 000007
【図６】
2005216986.tif 000008
【図７】
2005216986.tif 000009
【図８】
2005216986.tif 000010
【図９】
2005216986.tif 000011
【図１０】
2005216986.tif 000012
【図１１】
2005216986.tif 000013